(57)【要約】      （修正有）【課題】海上で行うプラットホームの設置・交換時の作業性を向上させる治具を提供する。【解決手段】浮体式パイプ２に二つ割の浮体式パイプ接続金具をロープでつるし、ボルトで接続する。４つのパイプ穴に足場板３取付けパイプを付ける。足場板３取付けパイプに足場板３を浮体式パイプ２を取り巻くように設置する。プラットホーム１に、台船上でガイドフレーム４とガイドワイヤー５を取り付ける。プラットホーム１を浮体式パイプ２に設置するときに、ガイドフレーム４のガイド部により設置のぶれが少なくなる。また、ガイドワイヤー５をフランジ穴に通し、引っ張ることでプラットホーム１のフランジと浮体式パイプ２のフランジ位置が合わさる。【選択図】図１
0003155007.tif 000002
【実用新案登録請求の範囲】
【請求項１】
本考案の足場は、二つ割の浮体式パイプ接続金具でパイプに両側でボルト止めにより接続し、浮体式パイプとの密着性を高め、足場板取付パイプを浮体式パイプ接続金具に差し込み、ボルトまたはピンでとめ、その上に作業性をよくするために浮体式パイプを取り巻くように足場板を取り付けることを特徴としたプラットホームの取付け・交換作業用治具。
【請求項２】
請求項１における作業環境において、本考案のガイドフレームは、プラットホームの下側につけ、プラットホームと接続するためのフレーム接続部とフランジの位置に合わせるためのガイド部からなり、フレーム接続部とプラットホームは、ボルトまたはクランプでとめ、ガイド部は、フランジにぶつかりにくいように斜めになっていることにより、下部の浮体式パイプのフランジから数センチ程度の範囲に設置することが可能になることを特徴とするプラットホームの取付け・交換作業用治具。
【請求項３】
請求項２における作業環境において、本考案のガイドワイヤーは、ピンをプラットホームのフランジ穴にいれ、ワイヤーがフランジ穴から垂れ下がり、ピンは、フランジ穴の径より大きく、落ちることはなく、ワイヤーは、下部の浮体式パイプのフランジを通り、足場まで届く長さとなり、設置時にガイドワイヤーをプラットホームのフランジの穴から浮体式パイプのフランジの穴へ通し、下から引っ張ることで、プラットホームの位置の微調整を行い、プラットホームのフランジ穴と浮体式パイプのフランジ穴を確実に合わせることができることを特徴とするプラットホームの取付け・交換作業用治具。
【考案の詳細な説明】
【技術分野】
【０００１】
本考案は、海上のプラットホームの交換作業性を向上させるものである。
【背景技術】
【０００２】
海上には、船に航路を知らせるための浮体式灯標があり、灯器や通信設備が装備されている。浮体式灯標は、水面から数メートル上に灯器や通信設備が設置されるプラットホームがあり、下部に浮体式パイプが設置される。船舶の衝突による事故等でプラットホームの修理または取替えが発生する。海上での取替えは、波または風によるゆれと作業時間の制約があり、困難を極める。
【先行技術文献】
【非特許文献】
【０００３】
【非特許文献１】合田良實著「港湾構造物の耐波設計」鹿島出版会
【非特許文献２】関田欣治著「海洋構造物」成山堂書店
【考案の概要】
【考案が解決しようとする課題】
【０００４】
海上での浮体式灯標のプラットホームの設置は、作業期間、作業時間の規制および天候による作業の可否がある。また、波や風により、作業が難しく、容易に設置は、できない。そのため足場は、短時間で確実に作業ができることが望まれる。また、プラットホームを下部のパイプに取り付けるときにプラットホームが風で流されたり、波により揺れることでフランジの位置合わせやフランジの穴を合わせることが容易ではない。
【課題を解決するための手段】
【０００５】
足場は、プラットホームの下部の浮体式パイプに設置し、作業がしやすいようにする。本考案の足場は、二つ割の浮体式パイプ接続金具でパイプに両側でボルト止めにより接続し、浮体式パイプとの密着性を高める。足場板取付パイプを浮体式パイプ接続金具に差し込み、ボルトまたはピンでとめる。その上に作業性をよくするために浮体式パイプを取り巻くように足場板を取り付ける。
【０００６】
本考案のガイドフレームは、プラットホームの下側につけ、下部の浮体式パイプのフランジから数センチ程度の範囲に設置することが可能になる。ガイドフレームは、プラットホームと接続するためのフレーム接続部とフランジの位置に合わせるためのガイド部からなる。フレーム接続部とプラットホームは、ボルトまたはクランプでとめる。ガイド部は、フランジにぶつかりにくいように斜めになる。このガイドフレームにより、ゆれがあってもガイドフレーム間の幅の範囲でのみ動かないようにすることで、大きくふれないようになる。
【０００７】
本考案のガイドワイヤーは、ピンをプラットホームのフランジ穴にいれ、ワイヤーがフランジ穴から垂れ下がるようにする。ピンは、フランジ穴の径より大きく、風で飛ばされない重さとする。ワイヤーは、下部の浮体式パイプのフランジを通り、足場まで届く長さとなる。設置時にガイドワイヤーをプラットホームのフランジの穴から浮体式パイプのフランジの穴へ通し、下から引っ張ることで、プラットホームの位置の微調整を行い、プラットホームのフランジ穴と浮体式パイプのフランジ穴を確実に合わせることができる。
【考案の効果】
【０００８】
本考案により、海上でのプラットホームの交換作業の時間短縮および安全性が高まる。
【図面の簡単な説明】
【０００９】
【図１】取付け・交換作業用治具が設置された全体図である。
【図２】本考案の足場が設置された上面図である。
【図３】本考案のガイドフレームが設置された側面図である。
【図４】本考案のガイドワイヤーが設置された側面図である。
【考案を実施するための形態】
【００１０】
海上に設置される浮体式灯標の下部の浮体式パイプとその上部に位置するプラットホームを別々に設置するケース。または、プラットホームを取り替えるケース。
【実施例１】
【００１１】
海中に下部の浮体式パイプを設置し、水面上にその上部に位置するプラットホームを台船上のクレーンで取り付ける。下部の浮体式パイプは、フランジ面を上にして、ポールのように立った状態である。足場は、浮体式パイプに取り付ける。プラットホームに、台船上でガイドフレームとガイドワイヤーを取り付ける。プラットホームは、灯器などの設備が装備され台船からつるされ、浮体式パイプ上に取付け・交換作業用治具を使い設置される。
【産業上の利用可能性】
【００１２】
海上で設置される構造物の上部のプラットホームなどの交換に利用が可能である。
【符号の説明】
【００１３】
１  プラットホーム
２  浮体式パイプ
３  足場
４  ガイドフレーム
５  ガイドワイヤー
３A  浮体式パイプ接続金具
３B  足場板取付パイプ
３C  足場板
３D  ボルト
４A  ガイド部
４B  フレーム接続部
５A  ピン
５B  ワイヤー
【図１】
0003155007.tif 000003
【図２】
0003155007.tif 000004
【図３】
0003155007.tif 000005
【図４】
0003155007.tif 000006
【手続補正書】
【提出日】平成21年8月25日(2009.8.25)
【手続補正１】
【補正対象書類名】明細書
【補正対象項目名】全文
【補正方法】変更
【補正の内容】
【考案の詳細な説明】
【技術分野】
【０００１】
本考案は、海上のプラットホームの交換作業性を向上させるものである。
【背景技術】
【０００２】
海上には、船に航路を知らせるための浮体式灯標があり、灯器や通信設備が装備されている。浮体式灯標は、水面から数メートル上に灯器や通信設備が設置されるプラットホームがあり、下部に浮体式パイプが設置される。船舶の衝突による事故等でプラットホームの修理または取替えが発生する。海上での取替えは、波または風によるゆれと作業時間の制約があり、困難を極める。
【先行技術文献】
【非特許文献】
【０００３】
【非特許文献１】合田良實著「港湾構造物の耐波設計」鹿島出版会
【非特許文献２】関田欣治著「海洋構造物」成山堂書店
【考案の概要】
【考案が解決しようとする課題】
【０００４】
海上での浮体式灯標のプラットホームの設置は、作業期間、作業時間の規制および天候による作業の可否がある。また、波や風により、作業が難しく、容易に設置は、できない。そのため足場は、短時間で確実に作業ができることが望まれる。また、プラットホームを下部のパイプに取り付けるときにプラットホームが風で流されたり、波により揺れることでフランジの位置合わせやフランジの穴を合わせることが容易ではない。
【課題を解決するための手段】
【０００５】
足場は、プラットホームの下部の浮体式パイプに設置し、作業がしやすいようにする。本考案の足場は、二つ割の接続金具でパイプに両側でボルト止めにより接続し、浮体式パイプとの密着性を高める。足場板取付パイプを浮体式パイプ接続金具に差し込み、ボルトまたはピンでとめる。その上に作業性をよくするために浮体式パイプを取り巻くように足場板を取り付ける。
【０００６】
本考案のガイドフレームは、プラットホームの下側につけ、下部の浮体式パイプのフランジから数センチ程度の範囲に設置することが可能になる。ガイドフレームは、プラットホームと接続するためのフレーム接続部とフランジの位置に合わせるためのガイド部とガイドワイヤーからなる。フレーム接続部とプラットホームは、ボルトまたはクランプでとめる。ガイド部は、フランジにぶつかりにくいように斜めになる。このガイドフレームにより、ゆれがあってもガイドフレーム間の幅の範囲でのみ動かないようにすることで、大きくふれないようになる。
【０００７】
ガイドワイヤーは、ピンをプラットホームのフランジ穴にいれ、ワイヤーがフランジ穴から垂れ下がるようにする。ピンは、フランジ穴の径より大きく、風で飛ばされない重さとする。ワイヤーは、下部の浮体式パイプのフランジを通り、足場まで届く長さとなる。設置時にガイドワイヤーをプラットホームのフランジの穴から浮体式パイプのフランジの穴へ通し、下から引っ張ることで、プラットホームの位置の微調整を行い、プラットホームのフランジ穴と浮体式パイプのフランジ穴を確実に合わせることができる。
【考案の効果】
【０００８】
本考案により、海上でのプラットホームの交換作業の時間短縮および安全性が高まる。
【図面の簡単な説明】
【０００９】
【図１】取付け・交換作業用治具が設置された全体図である。
【図２】本考案の足場が設置された上面図である。
【図３】本考案のガイドフレームが設置された側面図である。
【図４】本考案のガイドワイヤーが設置された側面図である。
【考案を実施するための形態】
【００１０】
海上に設置される浮体式灯標の下部の浮体式パイプとその上部に位置するプラットホームを別々に設置するケース。または、プラットホームを取り替えるケース。
【実施例１】
【００１１】
浮体式パイプ２に二つ割の浮体式パイプ接続金具３Aをロープでつるし、ボルトで接続する。４つのパイプ穴に足場板取付けパイプ３Bを付ける。足場板取付けパイプ３Bに足場板３Cを浮体式パイプ２を取り巻くように設置する。
【００１２】
プラットホーム１に、台船上でガイドフレーム４とガイドワイヤー５を取り付ける。プラットホーム１を浮体式パイプ２に設置するときに、ガイドフレーム４のガイド部４Aにより設置のぶれが少なくなる。また、ガイドワイヤー５をフランジ穴に通し、引っ張ることでプラットホーム１のフランジと浮体式パイプ２のフランジ位置が合わさる。
【産業上の利用可能性】
【００１３】
海上で設置される構造物の上部のプラットホームなどの交換に利用が可能である。
【符号の説明】
【００１４】
１  プラットホーム
２  浮体式パイプ
３  足場
４  ガイドフレーム
５  ガイドワイヤー
３A  浮体式パイプ接続金具
３B  足場板取付パイプ
３C  足場板
３D  ボルト
４A  ガイド部
４B  フレーム接続部
５A  ピン
５B  ワイヤー
【手続補正２】
【補正対象書類名】実用新案登録請求の範囲
【補正対象項目名】全文
【補正方法】変更
【補正の内容】
【実用新案登録請求の範囲】
【請求項１】
構成は、足場、ガイドフレームとガイドワイヤーからなり、足場は、足場板を浮体式パイプに装着するために二つ割の接続金具を設け、四方に延長できるパイプを取り付けることを特徴とするプラットホームの取付け・交換作業用治具。
【請求項２】
前記のガイドフレームは、フランジ位置を合わせるために斜めになっているガイド部を持つことを特徴とする請求項１のプラットホームの取付け・交換作業用治具。
【請求項３】
前記のガイドワイヤーは、フランジ位置を合わせるためにプラットホームと浮体式パイプのフランジを通らせるワイヤーとフランジ穴に入れるピンを持つことを特徴とする請求項２のプラットホームの取付け・交換作業用治具。
【手続補正３】
【補正対象書類名】図面
【補正対象項目名】全図
【補正方法】変更
【補正の内容】
【図１】
0003155007.tif 000007
【図２】
0003155007.tif 000008
【図３】
0003155007.tif 000009
【図４】
0003155007.tif 000010